(57)【要約】  射出成形シューティングポットショットサイズ制御装置は、同じゲートで終わる少なくとも２つの溶融物チャネルを有する共射出ノズルを備えた共射出ホットランナに設置されるように構成され、弁入口及び弁出口を備える。調整可能な溶融物制御機構が、好ましくは油圧作動式ウェッジの形で、（ｉ）ホットランナアセンブリに隣接してキャビティプレートに配置され、金型が開いてる間にショットサイズ位置をセットできるようにし、（ｉｉ）ウェッジがシューティングポットピストンから引き戻されるときに、充填されたシューティングポットシリンダが溶融物を減圧できるように構成される。
2008504989.tif 000002
【特許請求の範囲】
【請求項１】
共射出ノズルを有する共射出ホットランナに設置されるように構成される射出成形シューティングポットアセンブリのショットサイズコントローラであって、前記共射出ノズルは同じゲートで終わる少なくとも２つの溶融物チャネルを有し、該射出成形シューティングポットアセンブリのショットサイズコントローラは、
シューティングポットピストンであって、シューティングポットシリンダ内の該シューティングポットピストンの位置が前記ショットサイズを画定する、シューティングポットピストンと、
該シューティングポットピストンに隣接して配置される角度付き表面を有する、横断動作する調整可能な停止手段であって、前記角度付き表面の移動が前記シューティングポットピストンの位置を調整する、横断動作する調整可能な停止手段と
を備える、射出成形シューティングポットアセンブリのショットサイズコントローラ。
【請求項２】
前記横断動作する調整可能な停止手段は、前記シューティングポットアセンブリに隣接して金型構造内に配置されるように構成される、請求項１に記載の射出成形シューティングポットアセンブリのショットサイズコントローラ。
【請求項３】
サーボアクチュエータをさらに備え、該アクチュエータは、前記横断動作する調整可能な停止手段を前記シューティングポットピストンに対してほぼ垂直に移動させる、請求項１に記載の射出成形シューティングポットアセンブリのショットサイズコントローラ。
【請求項４】
前記横断動作する調整可能な停止手段が前記シューティングポットピストンの中心線に向かって移動するとき、前記ショットサイズは低減する、請求項１に記載の射出成形シューティングポットアセンブリのショットサイズコントローラ。
【請求項５】
前記横断動作する調整可能な停止手段が前記シューティングポットピストンの中心線から離れるように移動するとき、前記ショットサイズは増大する、請求項１に記載の射出成形シューティングポットアセンブリのショットサイズコントローラ。
【請求項６】
前記横断動作する調整可能な停止手段が前記シューティングポットピストンの中心線から離れるように移動するとき、前記シューティングポットに含まれている溶融物は減圧される、請求項１に記載の射出成形シューティングポットアセンブリのショットサイズコントローラ。
【請求項７】
前記横断動作する調整可能な停止手段はウェッジを含む、請求項１に記載の射出成形シューティングポットアセンブリのショットサイズコントローラ。
【請求項８】
共射出ノズルを有する共射出ホットランナに設置されるように構成される射出成形シューティングポットアセンブリのショットサイズコントローラであって、前記共射出ノズルは同じゲートで終わる少なくとも２つの溶融物チャネルを有し、該射出成形シューティングポットアセンブリのショットサイズコントローラは、
溶融物入口チャネルと、
溶融物を前記共射出ノズルに提供するように構成される溶融物出口チャネルと、
前記溶融物入口チャネルと前記溶融物出口チャネルとの間に配置されるシューティングポットシリンダと、
該シューティングポットシリンダ内で移動して、溶融物を該シューティングポットシリンダから前記溶融物出口チャネルに排出するように構成されるシューティングポットピストンと、
該シューティングポットピストンに隣接して配置されるショットサイズコントローラであって、前記シューティングポットピストンに対する該ショットサイズコントローラの変位に応答して、ショットサイズを調整するように構成される角度付き表面を有するショットサイズコントローラと
を備える、射出成形シューティングポットアセンブリのショットサイズコントローラ。
【請求項９】
前記ショットサイズコントローラの前記変位は油圧アクチュエータを使用して実現される、請求項８に記載の射出成形シューティングポットアセンブリ。
【請求項１０】
前記ショットサイズコントローラはウェッジである、請求項８に記載の射出成形シューティングポットアセンブリ。
【請求項１１】
前記ショットサイズコントローラが前記シューティングポットピストンの中心線に向かって移動するとき、前記ショットサイズは低減する、請求項８に記載の射出成形シューティングポットアセンブリ。
【請求項１２】
前記ショットサイズコントローラが前記シューティングポットピストンの中心線から離れるように移動するとき、前記ショットサイズは増大する、請求項８に記載の射出成形シューティングポットアセンブリ。
【請求項１３】
前記ショットサイズコントローラが前記シューティングポットピストンの中心線から離れるように移動するとき、前記シューティングポットに含まれている溶融物は減圧される、請求項８に記載の射出成形シューティングポットアセンブリ。
【請求項１４】
射出成形用金型であって、
金型キャビティと、
溶融物を前記金型キャビティ中に射出するように構成され、同じゲートで終わる少なくとも２つの溶融物チャネルを有する共射出ノズルと、
溶融物を前記共射出ノズルに運ぶように構成される溶融物出口チャネルと、
シューティングポットピストンと、
該シューティングポットピストンが作動すると、溶融物を前記溶融物出口チャネルに排出するように構成されるシューティングポットシリンダと、
溶融物を前記シューティングポットシリンダに運ぶように構成される溶融物入口チャネルと、
前記シューティングポットピストンに隣接して配置されるショットサイズコントローラであって、前記シューティングポットピストンに対する該ショットサイズコントローラの変位に応答して、ショットサイズを調整するように構成される角度付き表面を有するショットサイズコントローラと
を備える、射出成形用金型。
【請求項１５】
前記ショットサイズコントローラの前記変位は油圧アクチュエータを使用して実現される、請求項１４に記載の射出成形用金型。
【請求項１６】
前記ショットサイズコントローラはウェッジである、請求項１４に記載の射出成形用金型。
【請求項１７】
前記ショットサイズコントローラが前記シューティングポットピストンの中心線に向かって移動するとき、前記ショットサイズは低減する、請求項１４に記載の射出成形用金型。
【請求項１８】
前記ショットサイズコントローラが前記シューティングポットピストンの中心線から離れるように移動するとき、前記ショットサイズは増大する、請求項１４に記載の射出成形用金型。
【請求項１９】
前記ショットサイズコントローラが前記シューティングポットピストンの中心線から離れるように移動するとき、前記シューティングポットに含まれている溶融物は減圧される、請求項１４に記載の射出成形用金型。
【請求項２０】
共射出ノズルを有する共射出ホットランナ内のシューティングポットアセンブリのショットサイズを制御する方法であって、前記共射出ノズルは同じゲートで終わる少なくとも２つの溶融物チャネルを有し、該ショットサイズを制御する方法は、
シューティングポットピストンに隣接して配置される角度付き表面を有するウェッジを設けるステップと、
前記シューティングポットピストンの端部に対してほぼ垂直に前記ウェッジを作動させるステップであって、それによって前記シューティングポットピストンをシューティングポットシリンダ内で変位させるとともに前記ショットサイズを調整する、作動させるステップと
を含む、ショットサイズを制御する方法。
【請求項２１】
前記ウェッジを作動させる前記ステップは油圧アクチュエータを介して実現される、請求項２０に記載のショットサイズを制御する方法。
【請求項２２】
前記ウェッジが前記シューティングポットピストンの中心線に向かって移動するとき、前記ショットサイズは低減する、請求項２０に記載のショットサイズを制御する方法。
【請求項２３】
前記ウェッジが前記シューティングポットピストンの中心線から離れるように移動するとき、前記ショットサイズは増大する、請求項２０に記載のショットサイズを制御する方法。
【請求項２４】
前記ウェッジが前記シューティングポットピストンの中心線から離れるように移動するとき、前記シューティングポットに含まれている溶融物は減圧される、請求項２０に記載のショットサイズを制御する方法。
【発明の詳細な説明】
【技術分野】
【０００１】
本発明は、射出成形機内で共射出ホットランナセンブリに隣接してキャビティプレート内に組み込まれるシューティングポットショットサイズ制御機構に関し、特に、横断動作する調整可能な機械的停止手段を使用してシューティングポットのうちの１つのショットサイズを制御する装置及び方法に関する。好ましくは、ショットサイズ制御は、金型が開いている間でもシューティングポットに充填できるようにする油圧作動式ウェッジ構造により提供される。
【背景技術】
【０００２】
［発明の背景］
共射出成形は通常、積層壁構造を有する多層プラスチック包装品の成形に使用される。各層は通常、単一ノズル構造内の異なる環状通路又は円形通路を通過し、各層は部分的に、同じゲートを通って順次射出される。共射出ホットランナシステムによっては、１つのプラスチック樹脂材料を計量して、成形サイクルにおいて多数個取り金型の各キャビティに正確な分量のその樹脂が収容されるようにするシューティングポットを備えるものがある。設計構成によっては、逆止め弁を使用して、シューティングポットがノズルを通して樹脂を排出するときに樹脂の逆流を防ぐものがある。
【０００３】
Kellyに付与された米国特許第２，７７０，０１１号では、弁棒が油圧作動式ウェッジ形機構によって開閉される、弁ゲート付きホットランナ金型が教示されている。
【０００４】
Reitanに付与された米国特許第４，０９５，９３１号には、スプール様のシャフトが同軸で移動してカム動作を提供し、弁棒を閉じさせる弁ゲート付きホットランナ金型が教示されている。成形サイクルの適切なときに、プラスチック圧が弁棒を開かせる。
【０００５】
Schadに付与された米国特許第４，７１７，３２４号には、油圧作動式のシューティングポットを備える共射出ホットランナシステムが教示されている。ピストンはすべて同じ方向を向いているため、油圧作動を機械の静止プラテンに、又はSchadに付与された米国特許第６，１５２，７２１号に教示されているように射出ユニットに並んで静止プラテンの背後に収容することができる。
【発明の開示】
【発明が解決しようとする課題】
【０００６】
本発明の構成では、シューティングポットピストンのいくつかが金型の見切り線の方を向き、その結果としてそれぞれの制御がより問題になり、上記の技術において教示される構成で実現することができない。したがって、必要なのは、見切り線が開いているときであってもよりよいショット制御を可能にし、より正確なショットサイズ計量を可能にし、溶融物の減圧に対処し、シューティングポットの充填前に引き戻すことが可能なシューティングポットショットサイズ制御機構である。
【課題を解決するための手段】
【０００７】
［発明の概要］
本発明の利点は、関連技術の問題を解消し、成形サイクル全体を通してショット計量を提供する、シューティングポットの調整可能なショットサイズ制御方法及び装置を提供することである。
【０００８】
本発明の第１の態様によれば、共射出ノズルを有する共射出ホットランナに設置されるように構成される射出成形シューティングポットアセンブリのショットサイズコントローラのための構造及び／又はステップの独自の組み合わせであって、共射出ノズルは同じゲートで終わる少なくとも２つの溶融物チャネルを有する、射出成形シューティングポットアセンブリのショットサイズコントローラのための構造及び／又はステップの独自の組み合わせが提供される。ショットサイズコントローラは、シューティングポットピストンであって、シューティングポットシリンダ内の該シューティングポットピストンの位置がショットサイズを画定するシューティングポットピストン、及びシューティングポットピストンに隣接して配置される角度付き表面を有する横断動作する調整可能な停止手段であって、角度付き表面の移動によりシューティングポットピストンの位置が調整される、横断動作する調整可能な停止手段を備える。
【０００９】
本発明の第２の態様によれば、共射出ノズルを有する共射出ホットランナに設置されるように構成される射出成形シューティングポットアセンブリのショットサイズコントローラのための構造及び／又はステップの独自の組み合わせであって、共射出ノズルは、同じゲートで終わる少なくとも２つの溶融物チャネルを有する、射出成形シューティングポットアセンブリのショットサイズコントローラのための構造及び／又はステップの独自の組み合わせが提供される。構造は、溶融物入口チャネル、溶融物を共射出ノズルに提供するように構成される溶融物出口チャネル、溶融物入口チャネルと溶融物出口チャネルとの間に配置されるシューティングポットシリンダ、及びシューティングポットシリンダ内で移動して溶融物をシューティングポットシリンダから溶融物出口チャネルに排出するように構成されるシューティングポットピストンを備える。ショットサイズコントローラが、シューティングポットピストンに隣接して配置され、シューティングポットピストンに対するショットサイズコントローラの変位に応答して、ショットサイズを調整するように構成される角度付き表面を有する。
【００１０】
本発明の第３の態様によれば、金型キャビティ、及び溶融物を金型キャビティ中に射出するように構成される共射出ノズルを有する射出成形用金型のための構造及び／又はステップの独自の組み合わせであって、共射出ノズルは同じゲートで終わる少なくとも２つの溶融物チャネルを有する、射出成形用金型のための構造及び／又はステップの独自の組み合わせが提供される。溶融物出口チャネルが、溶融物をノズルに運ぶように構成される。また、シューティングポットピストン、該シューティングポットピストンが作動すると溶融物を溶融物出口チャネルに排出するように構成されるシューティングポットシリンダ、及び溶融物をシューティングポットシリンダに運ぶように構成される溶融物入口チャネルも設けられる。ショットサイズコントローラがシューティングポットピストンに隣接して配置され、シューティングポットピストンに対するショットサイズコントローラの変位に応答して、ショットサイズを調整するように構成される角度付き表面を有する。
【００１１】
本発明の第４の態様によれば、共射出ノズルを有する共射出ホットランナ内のシューティングポットアセンブリにおいて、ショットサイズを制御するための構造及び／又はステップの独自の組み合わせであって、共射出ノズルは同じゲートで終わる少なくとも２つの溶融物チャネルを有する、ショットサイズを制御するための構造及び／又はステップの独自の組み合わせが提供される。シューティングポットピストンに隣接して配置される角度付き表面を有するウェッジが設けられる。ウェッジは、シューティングポットピストンの端部に対してほぼ垂直に作動し、それによってシューティングポットピストンをシューティングポットシリンダ内で変位させ、ショットサイズを調整する。
【００１２】
本発明の現時点で好ましい特徴の例示的な実施形態について添付図面を参照しつつこれより説明する。
【発明を実施するための最良の形態】
【００１３】
［好ましい実施形態の詳細な説明］
１．導入
本発明について、シューティングポットショットサイズ制御が、好ましくはウェッジの形の油圧作動式構造を介して提供される実施形態に関連してこれより説明する。ショットサイズ制御構造は好ましくは、プラスチック共射出成形機のシューティングポットに隣接してキャビティプレート内に配置され、シューティングポットのうちの１つのショットサイズを制御するとともに、射出成形用金型が開いている間にポットに充填できるようにする。本発明による共射出プロセスは、ゲートを通して第１の材料を部分的に射出し、その後、同じゲートを通して第２の材料を部分的に射出する。
【００１４】
２．第１の実施形態の構造
図１は、２つの射出ユニットが設けられた成形機のクランプに取り付けられた共射出ホットランナ金型の概略図を示す。金型は、金型キャビティ１２を含むキャビティプレート１１に取り付けられた可動ホットランナアセンブリ１０、コア１４が上に取り付けられたコアプレート１３、及び成形品をコアから取り出すためのストリッパプレート１５を備える。可動ホットランナアセンブリ１０は、ノズル先端５への溶融物の流れを調整する弁棒９を内部に配置したシリンダ８を備える。可動ホットランナアセンブリ１０は、材料「Ａ」のための第１のシューティングポット２０及び機械の静止プラテン３０に取り付けられた第１のシューティングポットピストン２１も備える。材料「Ｃ」のための第２のシューティングポット２２及び第２のシューティングポットピストン２３も備えられ、中心線４３がピストン２３の中心を通る軸を示す。第２のシューティングポットピストン２３は、ストリッパプレート１５、コアプレート１３、及び機械の移動プラテン３１を通過し、移動プラテン３１の背後に取り付けられる可動プレート２５に取り付けられる制御ロッド２４によって作動する。機械は、フレーム３２に取り付けられ、タイバー３３によって移動をガイドされる上記プラテン３０及び３１を備える。また、材料「Ａ」を可塑化して射出する第１の射出ユニット３４及び材料「Ｃ」を可塑化して射出する第２の射出ユニット３５も備えられる。
【００１５】
図１には、本発明のショットサイズ制御装置も示す。第２のシューティングポット２２のショットサイズは、シューティングポットピストン２３を通る中心線４３に対するウェッジ４０の位置によって制御される。ウェッジ４０は好ましくは、シューティングポットピストン２３の中心線（縦軸）４３に対してほぼ垂直に移動する。ウェッジ４０の位置はサーボアクチュエータ４１によって調整される。ウェッジ４０を使用して、金型が開位置にある間にショットサイズ位置（すなわち、第２のシューティングポットピストン２３のバック位置）をセットすることができる。これは、ウェッジ４０が第２のシューティングポットピストン２３の中心線４３に向かって移動し、第２のシューティングポットピストン２３に接触するウェッジ部分の幅が増大し、それによってピストン２３をシューティングポット２２内で内側に、静止プラテン３０に向かって押し、それによって第２のシューティングポット２２内で利用可能なショットサイズを低減するように、ウェッジ４０の位置がアクチュエータ４１によって調整されるときに実現される。本発明のこの態様を実現するために必要なウェッジ４０の移動は、ごくわずかである。
【００１６】
本発明によるウェッジ４０の使用により、有益なことに、金型が開位置にある間にシューティングポットに溶融物を再充填することができる。さらに、ウェッジ４０が、第２のシューティングポットピストン２３の中心線４３から離れて移動するようにアクチュエータ４１によって調整される場合、第２のシューティングポットピストン２３に接触するウェッジ部分の幅は減少し、第２のシューティングポットピストン２３は後退することができ、それによって充填された第２のシューティングポット２２を減圧できるようにする。ウェッジ４０の後退により、溶融物「Ｃ」を溶融物チャネルから変位させることもでき、それによって溶融物「Ａ」が「Ｃ」溶融物チャネルに入ることができる。これは、第１の射出動作中に「Ｃ」溶融物が「Ａ」溶融物と一緒に金型キャビティ１２に入らないことを保証する。この特徴は特に共射出装置に対して有用である。
【００１７】
ピストンに接触する角度付き表面を有するウェッジ形状は、本発明によるシューティングポットショットサイズ調整装置の特に好ましい実施形態である。本発明のウェッジは、射出成形環境での使用に適したいかなる材料で形成してもよく、工具鋼が特に好ましい。
【００１８】
図２は、閉位置にあり、第１のシューティングポット２０が「Ａ」材料を金型キャビティ１２中に排出した直後の金型を示す。第１のシューティングポットピストン２１は、クランプが可動ホットランナアセンブリ１０を静止プラテン３０に向かって移動させたときにこの変位を行い、それによって距離「ｂ」のほぼすべてをなくす。ボール逆止め弁５０が、この排出動作中に第１の射出ユニット３４への材料「Ａ」の逆流を防いだ。
【００１９】
図３は、閉位置にあり、第２のシューティングポット２２が「Ｃ」材料を金型キャビティ１２中に排出した直後の金型を示す。第２のシューティングポットピストン２３は、プレート２５によって移動する制御ロッド２４によって作動した。ボール逆止め弁５１が、この排出動作中に第２の射出ユニット３５への材料「Ｃ」の逆流を防いだ。
【００２０】
図４は、閉位置にあり、第１の射出ユニット３４が金型キャビティ１２中への材料「Ａ」の第２の供給を行った直後の金型を示す。金型キャビティがこの「Ａ」樹脂の第２の供給で充填された後、パッキング段階が行われる。パッキング圧力が、射出ユニット３４によって加圧されている樹脂「Ａ」を介して、充填されたキャビティ中の溶融物に加えられる。この段階中、プレート２５及びロッド２４のわずかな後退により、ノズル先端５においていくらかの「Ａ」樹脂が「Ｃ」溶融物チャネル６中に移動することによって変位するときに、「Ｃ」樹脂をシューティングポット中に逆流させる。これは、次の成形サイクルの開始時に、「Ａ」樹脂の第１のショットが「Ｃ」樹脂をまったく含まないことを保証し、これが行われない場合には、「Ａ」樹脂が金型キャビティに供給されるときに「Ｃ」樹脂がチャネルから引き出される可能性がある。パーツが冷却されている間、又はパーツが取り出されている間に、金型が適宜閉じられている、又は開いている状態で、成形サイクルのその後の残りの部分中に、両方のシューティングポットに充填することができる。
【００２１】
種々の機械要素（たとえば、第１のユニット３３及び第２の射出ユニット３４、サーボアクチュエータ４１、第１のシューティングポットピストン２１及び第２のシューティングポットピストン２３等）の移動を制御するために、いかなるタイプのコントローラ６１又はプロセッサを使用してもよい。たとえば、１つ又は複数の汎用コンピュータ、特定用途向け集積回路（ＡＳＩＣ）、デジタル信号プロセッサ（ＤＳＰ）、ゲートアレイ、アナログ回路、専用デジタルプロセッサ及び／又はアナログプロセッサ、ハードワイヤード回路等が入力を受け取り、出力を本明細書において説明する種々の制御可能部品に提供してもよい。このような１つ又は複数のコントローラ又はプロセッサを制御するための命令は、任意の望ましいコンピュータ可読媒体に、且つ／又はフロッピー（登録商標）ディスク、ハードドライブ、ＣＤ−ＲＯＭ、ＲＡＭ、ＥＥＰＲＯＭ、磁気媒体、光学媒体、光磁気媒体等の任意の望ましいデータ構造で記憶してもよい。
【００２２】
３．本発明の方法
図１は、パーツをコアから取り出すことができる開位置にある金型を示す。動作に際して、シューティングポットは、それぞれの材料が充填されて示されている。各シューティングポットのショットサイズは、シューティングポットピストンのバック位置によって制御される。「Ａ」材料のシューティングポット２０のショットサイズは、可動ホットランナアセンブリ１０が静止プラテン３０から離れて移動した距離「ｂ」によって制御される。「Ｃ」材料のシューティングポット２２のショットサイズは、第２のシューティングポットピストン２３の中心線４３に対するウェッジ部品４０の位置によって制御され、ウェッジ部品４０はサーボアクチュエータ４１によって垂直に移動する。この特徴は、金型が開いている間にショットサイズ位置又はシューティングポットピストン２３のバック位置をセットできるようにし、それによって成形サイクルのこの部分の間に、必要であればシューティングポットを再充填できるようにする。
【００２３】
さらに、動作に際して、ウェッジ４０をシューティングポットピストン２３の中心線４３からわずかに引き離して、充填されたシューティングポットシリンダ２２に溶融物を減圧させることができる。シューティングポットを再充填する前に、ウェッジ４０を後退させて「Ｃ」ノズルチャネル６内の溶融物を弛緩させ、図１に示すように小量の「Ａ」材料を「Ｃ」ノズルチャネルに入れることができる。これは、次の成形サイクルの開始時に、「Ａ」材料が射出されるときに「Ｃ」材料が「Ｃ」ノズルチャネル６から引き出されて、第１のショット中に「Ａ」材料と一緒に金型キャビティ１２に入る危険がないことを保証する。
【００２４】
４．結論
本発明のショットサイズ調整装置及び方法は、異なる材料のシューティングポットが、それぞれの内容物を排出するときに逆方向に動作するように向き決めされる金型設計の有利な構成を可能にする。この構成は、最小スペースを占有するようにシューティングポットをホットランナアセンブリ内で位置決めできるようにする。この例では、第１のシューティングポット及び第２のシューティングポットは同軸に、縦に（one behind the other）位置合わせされ、それによってシューティングポットを含む金型アセンブリの幅及び高さを最小化する。この配置は、金型設計が、所与のサイズのパーツ径に対して最大数の金型キャビティを収容できるようにするとともに、金型シューサイズを最適化する。さらに、プレフォーム金型は通常、所与のプラテンエリアに通常設けられるよりも少ない把持力（clamp tonnage）を必要とするため、これは、場合によっては、より小型サイズの機械クランプを特定の金型キャビテーション及びプレフォームサイズに使用できることを意味する。サイズのこの最適化は、機器の資本コスト及び動作コストの両方を低減する。
【００２５】
本発明による有利な諸特徴は、以下の：
・共射出ホットランナアセンブリにおいて、摺動溶融物制御が正確で動的なショットサイズ計量を提供すること、
・溶融物制御装置が、シューティングポット充填前に引き戻せること、
・溶融物チャネルを減圧できること、
・溶融物制御手段の使用により、見切り線が開いており、「Ｃ」押し棒が切り離されているときであっても全体的なショットサイズ制御が可能なこと
を含み得る。
【００２６】
したがって、説明したのは、調整可能な機械的停止手段を効率的に提供してシューティングポットアセンブリのショットサイズを制御し、さらに減スペース要件を提供し、組立コスト及び保守コストを低減する方法及び装置である。
【００２７】
添付図面において概略的に示す、又はブロックで示す個々の部品はすべて、射出成形分野において既知であり、それぞれの特定の構造及び動作は本発明の動作及び本発明を実施する最良の形態にとって重要ではない。
【００２８】
本発明を、現時点で好ましい実施形態であると考えられるものに関して説明したが、本発明は、開示される実施形態に限定されないことを理解されたい。これとは対照的に、本発明は、添付の特許請求の範囲の精神及び範囲内に含まれる各種の変更及び等価構成を包含することが意図される。添付の特許請求の範囲は、このような変更並びに等価の構造及び機能をすべて包含するように最も広い解釈に従うべきである。
【図面の簡単な説明】
【００２９】
【図１】本発明の好ましい実施形態を示す、金型開位置にある共射出ホットランナ成形システムの概略図である。
【図２】「Ａ」材料の第１の射出後の金型クランプ位置を示す図１の概略図である。
【図３】「Ｃ」材料の射出後の金型クランプ位置を示す図１の概略図である。
【図４】「Ａ」材料の第２の射出後の金型クランプ位置での図１の概略図である。
【図１】
2008504989.tif 000003
【図２】
2008504989.tif 000004
【図３】
2008504989.tif 000005
【図４】
2008504989.tif 000006
【手続補正書】
【提出日】平成17年12月21日(2005.12.21)
【手続補正１】
【補正対象書類名】特許請求の範囲
【補正対象項目名】全文
【補正方法】変更
【補正の内容】
【特許請求の範囲】
【請求項１】
共射出ノズルを有する共射出ホットランナに設置されるように構成される射出成形シューティングポットアセンブリのショットサイズコントローラ（１０）であって、前記共射出ノズルは同じゲートで終わる少なくとも２つの溶融物チャネルを有し、該射出成形シューティングポットアセンブリのショットサイズコントローラ（１０）は、
シューティングポットピストン（２３）であって、シューティングポットシリンダ（２２）内の該シューティングポットピストン（２３）の位置が前記ショットサイズを画定する、シューティングポットピストンと、
該シューティングポットピストン（２３）に隣接して配置される角度付き表面を有する、横断動作する調整可能な停止手段（４０）であって、前記角度付き表面の移動が前記シューティングポットピストン（２３）の位置を調整する、横断動作する調整可能な停止手段と
を備える、射出成形シューティングポットアセンブリのショットサイズコントローラ。
【請求項２】
前記横断動作する調整可能な停止手段は、前記シューティングポットアセンブリに隣接して金型構造内に配置されるように構成される、請求項１に記載の射出成形シューティングポットアセンブリのショットサイズコントローラ。
【請求項３】
サーボアクチュエータ（４１）をさらに備え、該アクチュエータ（４１）は、前記横断動作する調整可能な停止手段（４０）を前記シューティングポットピストン（２３）に対して略垂直に移動させる、請求項１に記載の射出成形シューティングポットアセンブリのショットサイズコントローラ。
【請求項４】
前記横断動作する調整可能な停止手段（４０）が前記シューティングポットピストン（２３）の中心線に向かって移動するとき、前記ショットサイズは低減する、請求項１に記載の射出成形シューティングポットアセンブリのショットサイズコントローラ。
【請求項５】
前記横断動作する調整可能な停止手段（４０）が前記シューティングポットピストン（２３）の中心線から離れるように移動するとき、前記ショットサイズは増大する、請求項１に記載の射出成形シューティングポットアセンブリのショットサイズコントローラ。
【請求項６】
前記横断動作する調整可能な停止手段（４０）が前記シューティングポットピストン（２３）の中心線から離れるように移動するとき、前記シューティングポットに含まれている溶融物は減圧される、請求項１に記載の射出成形シューティングポットアセンブリのショットサイズコントローラ。
【請求項７】
前記横断動作する調整可能な停止手段（４０）はウェッジを含む、請求項１に記載の射出成形シューティングポットアセンブリのショットサイズコントローラ。
【請求項８】
共射出ノズルを有する共射出ホットランナ（１０）に設置されるように構成される射出成形シューティングポットアセンブリのショットサイズコントローラであって、前記共射出ノズルは同じゲートで終わる少なくとも２つの溶融物チャネルを有し、該射出成形シューティングポットアセンブリのショットサイズコントローラは、
溶融物入口チャネルと、
溶融物を前記共射出ノズルに提供するように構成される溶融物出口チャネルと、
前記溶融物入口チャネルと前記溶融物出口チャネルとの間に配置されるシューティングポットシリンダ（２２）と、
該シューティングポットシリンダ（２２）内で移動して、溶融物を該シューティングポットシリンダ（２３）から前記溶融物出口チャネルに排出するように構成されるシューティングポットピストン（２３）と、
該シューティングポットピストン（２３）に隣接して配置されるショットサイズコントローラ（４０）であって、前記シューティングポットピストン（２３）に対する該ショットサイズコントローラ（４０）の変位に応答して、ショットサイズを調整するように構成される角度付き表面を有するショットサイズコントローラ（４０）と
を備える、射出成形シューティングポットアセンブリのショットサイズコントローラ。
【請求項９】
前記ショットサイズコントローラ（４０）の前記変位は油圧アクチュエータを使用して実現される、請求項８に記載の射出成形シューティングポットアセンブリ。
【請求項１０】
前記ショットサイズコントローラ（４０）はウェッジである、請求項８に記載の射出成形シューティングポットアセンブリ。
【請求項１１】
前記ショットサイズコントローラ（４０）が前記シューティングポットピストン（２３）の中心線に向かって移動するとき、前記ショットサイズは低減する、請求項８に記載の射出成形シューティングポットアセンブリ。
【請求項１２】
前記ショットサイズコントローラ（４０）が前記シューティングポットピストン（２３）の中心線から離れるように移動するとき、前記ショットサイズは増大する、請求項８に記載の射出成形シューティングポットアセンブリ。
【請求項１３】
前記ショットサイズコントローラ（４０）が前記シューティングポットピストン（２３）の中心線から離れるように移動するとき、前記シューティングポットに含まれている溶融物は減圧される、請求項８に記載の射出成形シューティングポットアセンブリ。
【請求項１４】
射出成形用金型であって、
金型キャビティ（１２）と、
溶融物を前記金型キャビティ中に射出するように構成され、同じゲートで終わる少なくとも２つの溶融物チャネルを有する共射出ノズルと、
溶融物を前記共射出ノズルに運ぶように構成される溶融物出口チャネルと、
シューティングポットピストン（２３）と、
該シューティングポットピストン（２３）が作動すると、溶融物を前記溶融物出口チャネルに排出するように構成されるシューティングポットシリンダ（２２）と、
溶融物を前記シューティングポットシリンダ（２２）に運ぶように構成される溶融物入口チャネルと、
前記シューティングポットピストン（２３）に隣接して配置されるショットサイズコントローラ（４０）であって、前記シューティングポットピストン（２３）に対する該ショットサイズコントローラ（４０）の変位に応答して、ショットサイズを調整するように構成される角度付き表面を有するショットサイズコントローラと
を備える、射出成形用金型。
【請求項１５】
前記ショットサイズコントローラ（４０）の前記変位は油圧アクチュエータを使用して実現される、請求項１４に記載の射出成形用金型。
【請求項１６】
前記ショットサイズコントローラ（４０）はウェッジである、請求項１４に記載の射出成形用金型。
【請求項１７】
前記ショットサイズコントローラ（４０）が前記シューティングポットピストン（２３）の中心線に向かって移動するとき、前記ショットサイズは低減する、請求項１４に記載の射出成形用金型。
【請求項１８】
前記ショットサイズコントローラ（４０）が前記シューティングポットピストン（２３）の中心線から離れるように移動するとき、前記ショットサイズは増大する、請求項１４に記載の射出成形用金型。
【請求項１９】
前記ショットサイズコントローラ（４０）が前記シューティングポットピストン（２３）の中心線から離れるように移動するとき、前記シューティングポットに含まれている溶融物は減圧される、請求項１４に記載の射出成形用金型。
【請求項２０】
共射出ノズルを有する共射出ホットランナ内のシューティングポットアセンブリのショットサイズを制御する方法であって、前記共射出ノズルは同じゲートで終わる少なくとも２つの溶融物チャネルを有し、該ショットサイズを制御する方法は、
シューティングポットピストン（２３）に隣接して配置される角度付き表面を有するウェッジを設けるステップと、
前記シューティングポットピストン（２３）の端部に対して略垂直に前記ウェッジを作動させるステップであって、それによって前記シューティングポットピストン（２３）をシューティングポットシリンダ（２２）内で変位させるとともに前記ショットサイズを調整する、作動させるステップと
を含む、ショットサイズを制御する方法。
【請求項２１】
前記ウェッジを作動させる前記ステップは油圧アクチュエータを介して実現される、請求項２０に記載のショットサイズを制御する方法。
【請求項２２】
前記ウェッジが前記シューティングポットピストン（２３）の中心線に向かって移動するとき、前記ショットサイズは低減する、請求項２０に記載のショットサイズを制御する方法。
【請求項２３】
前記ウェッジが前記シューティングポットピストン（２３）の中心線から離れるように移動するとき、前記ショットサイズは増大する、請求項２０に記載のショットサイズを制御する方法。
【請求項２４】
前記ウェッジが前記シューティングポットピストン（２３）の中心線から離れるように移動するとき、前記シューティングポットに含まれている溶融物は減圧される、請求項２０に記載のショットサイズを制御する方法。
【国際調査報告】
2008504989.tif 000007
2008504989.tif 000008